(57)【要約】      （修正有）【課題】前後両面からの使い勝手がよい机上収納棚を提供する。【解決手段】デスクなどの天板の上方で使用される収納棚を、物品を載置可能な底板２と、底板より上方に底板と離間して設置される天板３と、底板の左右端部寄りに配置される一対の側板４と、一対の側板間に設置される仕切り板５と、一方側の側板と仕切り板間であって底板の前後方向の一方端側寄りに立設状に配置される背面板６Ａ、６Ｂで構成し、底板の背面板が配置される側との他方端側を物品の出し入れのための開口部７Ａ、７Ｂとし、第１背面板６Ａを、底板の開口部側の対向側端部から開口部側に向かってオフセットした位置に配置し、底板と一方側の側板と仕切り板と天板と背面板で凹部８Ａを形成し、凹部に板状のオプション部材９を着脱自在に取り付ける。【選択図】図３
2020171487.tif 000002
【特許請求の範囲】
【請求項１】
主にデスクなどの天板の上方で使用される収納棚において、収納棚は、少なくとも物品を載置可能な底板と、該底板の前後方向の一方端側寄りに立設状に配置される背面板を有し、底板の該背面板が配置される側との他方端側が物品の出し入れのための開口部とされ、背面板は、底板の該開口側の端部の対向側端部から、開口側に向かってオフセットした位置に配置され該対向側端部との間に凹部を形成し、該凹部に開口部側の対向面側から使用するオプション部材が着脱自在に取り付けられることを特徴とする机上収納棚。
【請求項２】
主にデスクなどの天板の上方で使用される収納棚において、収納棚は、少なくとも物品を載置可能な底板と、底板より上方に底板と離間して設置される天板と、底板の左右端部寄りに配置される一対の側板と、一対の側板間に設置される仕切り板と、一方側の側板と仕切り板間であって底板の前後方向の一方端側寄りに立設状に配置される第１背面板を有し、底板の該第１背面板が配置される側との他方端側が物品の出し入れのための第１開口部とされるとともに、他方側の側板と仕切り板間であって該底板の前後方向の第１背面板が配置される側の他方端側寄りに立設状に配置される第２背面板を有し、底板の該第２背面板が配置される側との他方端側が物品の出し入れのための第２開口部とされ、第１背面板は、底板の第１開口部側の対向側端部から第１開口部側に向かってオフセットした位置に配置され、第２背面板は、底板の第２開口部側の対向側端部から、第２開口部側に向かってオフセットした位置に配置され、底板と一方側の側板と仕切り板と天板と第１背面板で第１凹部を形成し、該第１凹部に板状のオプション部材が着脱自在に取り付けられ、底板と一方側の側板と仕切り板と天板と第２背面板で第２凹部を形成し、該第２凹部に板状のオプション部材が着脱自在に取り付けられることを特徴とする机上収納棚。
【発明の詳細な説明】
【技術分野】
【０００１】
本発明は、主に机上に配置され収納として使用される机上収納棚に関するものである。
【背景技術】
【０００２】
向かい合って多人数で使用することを前提としたデスクで、向かい合う執務者の間に収納棚を設置し、向かい合う執務者双方から使用可能な収納棚がある。（例えば特許文献１）。
しかしながら、収納棚の収納部の背面板の裏側は、他方側の執務者から見ると使用用途のないデットスペースであって無駄になっていたばかりか、執務者側に近づいた位置になるため、見た目上の圧迫感もある。
【先行技術文献】
【特許文献】
【０００３】
【特許文献１】特許第４５２５２７９号公報
【発明の概要】
【発明が解決しようとする課題】
【０００４】
本発明は、前後両面からの使い勝手がよい収納棚を提供することを課題とする。
【課題を解決するための手段】
【０００５】
上記課題を解決する為、本発明が第１の手段として構成したところは、主にデスクなどの天板の上方で使用される収納棚において、収納棚は、少なくとも物品を載置可能な底板と、該底板の前後方向の一方端側寄りに立設状に配置される背面板を有し、底板の該背面板が配置される側との他方端側が物品の出し入れのための開口部とされ、背面板は、底板の該開口側の端部の対向側端部から、開口側に向かってオフセットした位置に配置され該対向側端部との間に凹部を形成し、該凹部に開口部側の対向面側から使用するオプション部材が着脱自在に取り付けられるものである。
【０００６】
次に本発明が第２の手段として構成したところは、主にデスクなどの天板の上方で使用される収納棚において、収納棚は、少なくとも物品を載置可能な底板と、底板より上方に底板と離間して設置される天板と、底板の左右端部寄りに配置される一対の側板と、一対の側板間に設置される仕切り板と、一方側の側板と仕切り板間であって底板の前後方向の一方端側寄りに立設状に配置される第１背面板を有し、底板の該第１背面板が配置される側との他方端側が物品の出し入れのための第１開口部とされるとともに、他方側の側板と仕切り板間であって該底板の前後方向の第１背面板が配置される側の他方端側寄りに立設状に配置される第２背面板を有し、底板の該第２背面板が配置される側との他方端側が物品の出し入れのための第２開口部とされ、第１背面板は、底板の第１開口部側の対向側端部から第１開口部側に向かってオフセットした位置に配置され、第２背面板は、底板の第２開口部側の対向側端部から、第２開口部側に向かってオフセットした位置に配置され、底板と一方側の側板と仕切り板と天板と第１背面板で第１凹部を形成し、該第１凹部に板状のオプション部材が着脱自在に取り付けられ、底板と一方側の側板と仕切り板と天板と第２背面板で第２凹部を形成し、該第２凹部に板状のオプション部材が着脱自在に取り付けられるものである。
【発明の効果】
【０００７】
本発明の第１の手段、あるいは第２の手段として構成したところによると、収納棚の物品の出し入れ口の対向面側の背面板側も使用できるので、開口部側の対向面側も有効に利用可能となる。そのため、執務者が対面して使用するデスクやテーブルの対面間に収納棚を設置しても両面側で使用が可能であるため無駄が少ない。また、オプション部材側の対向面側に近くなるので、該対向面からオプション部材が使い易い。
【図面の簡単な説明】
【０００８】
【図１】本発明品である収納棚をデスク設置した状態の斜視図。
【図２】収納棚本体の斜視図。
【図３】脚部材が組み合わされた収納棚の分解斜視図。
【図４】収納棚の水平断面図。
【図５】収納棚をデスク設置した状態の鉛直断面要部拡大図。
【図６】収納棚のその他の実施例を示す斜視図。
【発明を実施するための形態】
【０００９】
主にデスクなどの天板の上方で使用される収納棚において、収納棚を、物品を載置可能な底板と、底板より上方に底板と離間して設置される天板と、底板の左右端部寄りに配置される一対の側板と、一対の側板間に設置される仕切り板と、一方側の側板と仕切り板間であって底板の前後方向の一方端側寄りに立設状に配置される第１背面板を有し、底板の該第１背面板が配置される側との他方端側を物品の出し入れのための第１開口部とするとともに、他方側の側板と仕切り板間であって該底板の前後方向の第１背面板が配置される側の他方端側寄りに立設状に配置される第２背面板を有し、底板の該第２背面板が配置される側との他方端側を物品の出し入れのための第２開口部とし、第１背面板を、底板の第１開口部側の対向側端部から第１開口部側に向かってオフセットした位置に配置し、第２背面板を、底板の第２開口部側の対向側端部から、第２開口部側に向かってオフセットした位置に配置し、底板と一方側の側板と仕切り板と天板と第１背面板で第１凹部を形成し、該第１凹部に板状のオプション部材を着脱自在に取り付け、底板と一方側の側板と仕切り板と天板と第２背面板で第２凹部を形成し、該第２凹部に板状のオプション部材を着脱自在に取り付けるように構成する。
【実施例】
【００１０】
以下、実施例を添付図面に基づいて詳述する。
尚、便宜的に図４における左右方向を左右方向、上下方向を前後方向と云う。
図１において、符号１００はベンチ型のデスクを示し、デスク１００は、主に左右に所定間隔を有して配設された左右の脚体２００、２００と、脚体２００、２００を上部で連結するビーム補強と、脚体２００、２００、ビーム補強３００の上面に連結される前後の天板４００、４００と、天板４００、４００間に設定される開口部である配線ダクト５００より構成されている。
【００１１】
そして、配線ダクト５００の前後中間部には、左右方向に延伸するレール部材６００が設置され、配線ダクト５００のレール部材６００以外の開口部分はダクトカバー７００で閉塞されている。
符号１は、収納棚を示し、収納棚１は、レール部材６００に後述する脚部材２０を介してデスク上方に立設固定されている。
【００１２】
収納棚１は、左右方向に長い長方形の板状の底板２と、底板２の前後寸法と略同じ前後寸法に設定される板状の左右の側板４、４と、側板４、４の中間部分で側板４と同型の仕切り板５と、側板４、４、仕切り板５の上面に設置される、底板２と同じ寸法の板状の天板３で、収納棚本体１０が構成される。
【００１３】
そして、収納棚本体１０の、底板２と天板３と一方側の側板４と仕切り板５間で前後方向に開口部を持つ第１収納部１０Ａが形成され、底板２と天板３と他方側の側板４と仕切り板５間で前後方向に開口部を持つ第２収納部１０Ｂが形成される。
【００１４】
第１収納部１０Ａの前後の開口部の一方側が、第１背面板６Ａで閉塞され、他方側の開口部が第１開口部７Ａとされ、第２収納部１０Ｂの前後の開口部の第１背面板６Ａが設置される他方側である一方側が、第２背面板６Ｂで閉塞され、他方側の開口部が第２開口部７Ｂとされ、図４で示すように、第１収納部１０Ａと第２収納部１０Ｂの開口部が互いに対向する側に設けられている。
【００１５】
第１背面板６Ａは、底板２の第２開口部７Ｂ側の端部から、所定の寸法第１開口部７Ａ側寄りの位置、すなわちオフセットした位置に配置され、第１背面板６Ａ近傍の側板４の内面（第１収納部１０Ａ側面）と仕切り板５の内面（第１収納部１０Ａ側面）と底板２の上面と天板３の下面と第１背面板６Ａの基板６１Ａの背面側で第１凹部８Ａを形成している。
第２背面板６Ｂも同様に、底板２の第１開口部７Ａ側の端部から、所定の寸法第２開口部７Ｂ側寄りの位置、すなわちオフセットした位置に配置され、第１凹部８Ａと同様に、第２背面板６Ｂ近傍の側板４と仕切り板５と底板２と天板３と第２背面板６Ｂで第２凹部８Ｂを形成している。
【００１６】
第１背面板６Ａと第２背面板６Ｂは同型であるため、第１背面板６Ａについてのみ説明する。
第１背面板６Ａは、鋼板を折り曲げて製作される板金部材であって、矩形状の板状の基板６１Ａと、基板６１Ａの上下端をそれぞれ同方向に直角に折り曲げた上下片６２Ａ、６２Ａと、基板６１Ａの左右端をそれぞれ上下片６２Ａと同方向に直角に折り曲げた左右片６３Ａ、６３Ａで形成され、第１開口部内に隙間なく入る大きさに設定される。上下片６２Ａ、６２Ａには、本体固定孔６４Ａ・・・が設けられ、基板６１Ａには、オプション固定孔６５Ａ、６５Ａが設けられる。
【００１７】
そして、第１背面板６Ａは、収納棚本体１０の１０Ａ  第１収納部１０Ａの開口部から該開口部を閉塞するように挿入され、本体固定孔６４Ａを使って、ネジにて底板２と天板３に固定される。
尚、底板２と天板３には、第１背面板６Ａが指定の位置に取り付けられるように前記ネジ取付け用の孔が設けられている。そして該取り付け用の孔を前後方向に複数設けけることにより、オプション部材の厚みに合わせて段階的に第１背面板６Ａを前後方向に移設が可能である。
第１背面板６Ａと同型の第２背面板６Ｂも同様に、第２収納部１０Ｂの開口部から該開口部を閉塞するように挿入され、本体固定孔６４Ｂを使って、ネジにて底板２と天板３に固定される。尚、オプション部材の厚みに合わせて段階的に第２背面板６Ｂを前後方向への移設が可能な点も第１背面板６Ａと同様である。
【００１８】
オプション部材９は、オプション基材９１とオプション基材９１に取り付けられるオプション機能部材９２で構成され、オプション部材９は、全体として第１凹部８Ａ、あるいは、第２凹部８Ｂに納まる大きさに形成される。
【００１９】
オプション基材９１は、鋼板を折り曲げて製作される板金部材であって、矩形状の板状の基板９１ａと、基板９１ａの上下左右端をそれぞれ同方向に直角に折り曲げた四方片９１b・・・と、四方片９１b・・・をそれぞれ上下左右の離れる方向に直角に折り曲げられた取り付け片９１ｃ・・・にて形成され、基板９１には、第１背面板６Ａ、第２背面板６Ｂに設けられたオプション固定孔６５Ａ、６５Ｂに対応した螺孔９１ｄが設けられている。
【００２０】
オプション機能部材９２は、板状であって、取り付け片９１ｃ・・・に接着材や両面テープにて接着固定される。オプション機能部材９２は、軟質樹脂板を基材として該基材を布地で覆ったピンナップボードや、コルクを使用したコルクボードのように、ピンを抜き差し可能な板状のもの、ホワイトボードや黒板ように書き消し可能な板状なもの、スチール板のようにマグネットが貼り付けることが可能なものなどがある。
他には、板状面を上方が後方に向かって傾斜するように傾斜させ、板状下部に前方に突出すように庇状部を設け、タブレットやスマートフォンなどの電子機器の載置台としたものがある。
【００２１】
このように構成されたオプション部材９は、オプション基材９１側を第１凹部８Ａ、あるいは、第２凹部８Ｂに挿入し、収納棚本体１０の開口部からネジにて、第１背面板６Ａ、第２背面板６Ｂに設けられたオプション固定孔６５Ａ、６５Ｂと前記螺孔９１ｄを使用してネジ固定される。
そして、この状態で、オプション機能部材９２の非接着側の表面は、底板２や天板３あるいは、側板４や仕切り板５の端部と略面一となるように、第１背面板６Ａ、第２背面板６Ｂが配置されている。
【００２２】
尚、オプション部材９は、図６に示すように、オプション基材９１を第１凹部８Ａ、あるいは、第２凹部８Ｂに納まる大きさに形成し、オプション機能部材９２が第１収納部１０Ａ、あるいは第２収納部１０Ｂの全面に配置される大きさに設定してもよい。
この場合は、オプション基材９１のみが、第１凹部８Ａ、あるいは、第２凹部８Ｂに納まる位置となるように第１背面板６Ａ、第２背面板６Ｂの位置が設定されて配置される。
【００２３】
収納棚１をデスク１００に固定するための脚部材２０は、一対の縦支柱２０１、２０１と縦支柱２０１、２０１の上端間を連結する横杆２０２で門型に形成される。そして、縦支柱２０１の下面には連結部２０３が連結固定される。
【００２４】
前述のように構成された収納棚１の底板２の下面に該脚部材２０が取り付けられる。
まず、収納棚１の下面に脚部材２０を所定の位置に配置し、横杆２０２の左右の端部で、連結用支持金具３０、３０にて横杆２０２を前後から挟み込む。横杆２０２の前後面には横長の溝２０２ａが設けられており、連結用支持金具３０には、該溝に入り込む係止片３０ａが設けられており、該係止片３０ａを溝２０２ａに差し込み、連結用支持金具３０を収納棚１の底板２の下面にネジ止めすることにより、脚部材２０は収納棚１に固定される。
このように、脚部材２０が取り付けられた収納棚１は、次のようにデスク１００に設けられたレール部材６００に固定される。
【００２５】
デスク１００に設けられたレール部材６００は、デスクの長尺方向に延伸するアルミ合金部材であって、上方に開口する係合溝６００ａが設けられ、開口上面に対向する一対の係合片６００ｂ、６００ｂが設けられている。
そして、脚部材２０の連結部２０３を係合溝６００ａに挿入し、連結部２０３の上面はフランジが設けられおり、該フランジが、係合片６００ｂ、６００ｂの上面に当接させる。この状態で収納棚１は、レール部材６００に仮設置される。
次に、連結部２０３にネジを介して垂直軸まわりに回転自在に設けられている係合駒２０３ａ、２０３ａを前記フランジ部から工具にてネジを回転操作する。ネジを回転操作すると係合駒２０３ａ、２０３ａは、係合溝６００ａ内部で回転し、係合溝６００ａを形成する垂直面に当接し、回転が停止する。そして、係合駒２０３ａの回転が停止すると回転ネジの作用によって上方に上がってくることとなり、係合駒２０３ａ上面とフランジの下面で係合片６００ｂ、６００ｂを挟み込む状態となり、収納棚１は、レール部材６００に固定される。
【００２６】
このように収納棚１がデスク１００に設置されると、デスクを使用する執務者から見て、収納棚１の第１収納部１０Ａ、あるいは第２収納部１０Ｂの横にオプション部材が配置される。
通常、一方側の執務者から見て、収納棚１の対向側の収納部の背面は、背面板が見えるだけで使用用途のないデッドスペースであるが、前記のようにオプション部材を設置することにより、利用可能なスペースとして有効活用できる。
また、収納部は使い勝手を考慮して一定の奥ゆきが必要となるが、収納部の背面板の裏側にオプション部材を設置することにより、該奥ゆきを利用して、より執務者に近い位置にオプション部材を設置することが可能となるので使い勝手が優れる。
特に、ホワイトボードや黒板のように、書き消しできるものは、執務者から離れた位置だと、大きく手を伸ばすか、体を乗り出して書くことになり書きにくいので、執務者により近い位置に設置される本発明の使い勝手は優れる。
【産業上の利用可能性】
【００２７】
以上のように、本発明は、収納棚の収納部を形成する背面板の背面側を有効に利用できるため、机上に設置される収納棚以外であっても、例えば、カウンタートップの収納棚、食器棚やキャビネット、ワゴンなど幅広い収納体に対して利用できる。
【符号の説明】
【００２８】
１００    デスク
６００    レール部材
６００ａ  係合溝
１        収納棚
１０      収納棚本体
１０Ａ    第１収納部
１０Ｂ    第２収納部
２        底板
３        天板
４        側板
５        仕切り板
６Ａ      第１背面板
６１Ａ    基板
６２Ａ    上下片
６３Ａ    左右片
６４Ａ    本体固定孔
６５Ａ    オプション固定孔
６Ｂ      第２背面板
７Ａ      第１開口部
７Ｂ      第２開口部
８Ａ      第１凹部
８Ｂ      第２凹部
９        オプション部材
９１      オプション基材
９１ａ    基板
９１ｂ    四方片
９１ｃ    取り付け片
９２      オプション機能部材
２０      脚部材
【図１】
2020171487.tif 000003
【図２】
2020171487.tif 000004
【図３】
2020171487.tif 000005
【図４】
2020171487.tif 000006
【図５】
2020171487.tif 000007
【図６】
2020171487.tif 000008